(57)【要約】【課題】複数のユニットの同一の抽せん番号が一つの袋に袋詰めされる宝くじ券の販売に好適な宝くじ券管理データ生成装置を提供する。【解決手段】ランダムに特定された1つの組を、連続する番号を所定の通し番号ずつに分割した番号分割単位ごとに保持した「番号分割単位」−「組」対応データを生成し、番号分割単位ごとに、当該番号分割単位に含まれる複数の番号の中から袋詰用初期番号をランダムに決定する。また一つの「番号分割単位」−「組」対応データで特定される番号分割単位中の番号のうち、袋詰用初期番号と同一の番号から順に抽せん番号を特定し、複数のユニットにまたがるその同一の抽せん番号複数に一つの袋番号を特定して付与し、当該特定された袋番号と複数のユニットにまたがる同一の抽せん番号との対応関係を示す「袋番号」−「同一抽せん番号」対応データを生成する。【選択図】図１
2008250840.tif 000002
【特許請求の範囲】
【請求項１】
複数の連続する番号を含む組のいずれかと、その組に含まれるいずれかの番号と、の組み合わせによって特定される抽せん番号であって、当せん番号の決定対象となる抽せん番号のまとまりを示すユニット複数により販売される宝くじ券の宝くじ券管理データを生成する宝くじ券管理データ生成装置であって、
ランダムに特定された1つの組を、前記連続する番号を所定の通し番号ずつに分割した番号分割単位ごとに保持した「番号分割単位」−「組」対応データを、前記ユニットごとに記憶する「番号分割単位」−「組」対応データ記憶手段と、
前記番号分割単位ごとに、当該番号分割単位に含まれる複数の番号の中から袋詰用初期番号をランダムに決定する袋詰用初期番号決定手段と、
一つの前記「番号分割単位」−「組」対応データで特定される番号分割単位中の番号のうち、前記袋詰用初期番号と同一の番号から順に抽せん番号を特定し、複数のユニットにまたがるその同一の抽せん番号複数に一つの袋番号を特定して付与する袋番号特定手段と、
を備えることを特徴とする宝くじ券管理データ生成装置。
【請求項２】
入力を受け付けた袋数に応じて、前記「袋番号」−「同一抽せん番号」対応データから前記袋数に応じた数の袋番号を特定し、それら複数の袋番号と当該袋番号を特定した前記「袋番号」−「同一抽せん番号」対応データと、その前記「袋番号」−「同一抽せん番号」対応データの生成に用いた前記「番号分割単位」−「組」対応データとの対応関係を売り場管理番号に対応付けて前記宝くじ券データ記憶部へ記録する配送先売り場特定手段と、
を備えることを特徴とする宝くじ券管理データ生成装置。
【請求項３】
複数の連続する番号を含む組のいずれかと、その組に含まれるいずれかの番号と、の組み合わせによって特定される抽せん番号であって、当せん番号の決定対象となる抽せん番号のまとまりを示すユニット複数により販売される宝くじ券の宝くじ券管理データを生成する宝くじ券管理データ生成装置の宝くじ券管理データ生成方法であって、
前記宝くじ券管理データ生成装置の「番号分割単位」−「組」対応データ記憶手段が、ランダムに特定された1つの組を、前記連続する番号を所定の通し番号ずつに分割した番号分割単位ごとに保持した「番号分割単位」−「組」対応データを、前記ユニットごとに記憶し、
前記宝くじ券管理データ生成装置の袋詰用初期番号決定手段が、前記番号分割単位ごとに、当該番号分割単位に含まれる複数の番号の中から袋詰用初期番号をランダムに決定し、
前記宝くじ券管理データ生成装置の袋番号特定手段が、一つの前記「番号分割単位」−「組」対応データで特定される番号分割単位中の番号のうち、前記袋詰用初期番号と同一の番号から順に抽せん番号を特定し、複数のユニットにまたがるその同一の抽せん番号複数に一つの袋番号を特定して付与する
ことを特徴とする宝くじ券管理データ生成方法。
【請求項４】
複数の連続する番号を含む組のいずれかと、その組に含まれるいずれかの番号と、の組み合わせによって特定される抽せん番号であって、当せん番号の決定対象となる抽せん番号のまとまりを示すユニット複数により販売される宝くじ券の宝くじ券管理データを生成する宝くじ券管理データ生成装置であって、
ランダムに特定された1つの組を、前記連続する番号を所定の通し番号ずつに分割した番号分割単位ごとに保持した「番号分割単位」−「組」対応データを、前記ユニットごとに記憶する「番号分割単位」−「組」対応データ記憶手段を備えた宝くじ券管理データ生成装置のコンピュータを、
前記番号分割単位ごとに、当該番号分割単位に含まれる複数の番号の中から袋詰用初期番号をランダムに決定する袋詰用初期番号決定手段、
一つの前記「番号分割単位」−「組」対応データで特定される番号分割単位中の番号のうち、前記袋詰用初期番号と同一の番号から順に抽せん番号を特定し、複数のユニットにまたがるその同一の抽せん番号複数に一つの袋番号を特定して付与する袋番号特定手段、
として機能させるためのプログラム。
【発明の詳細な説明】
【技術分野】
【０００１】
本発明は、複数の連続する番号を含む組のうちのいずれかの組と、その組に含まれるいずれかの番号と、の組み合わせによって特定される抽せん番号であって、当せん番号の決定対象となる抽せん番号のまとまりを示すユニット複数により販売される宝くじ券の宝くじ券管理データを生成する宝くじ券管理データ生成装置および宝くじ券管理データ生成方法ならびにそのプログラムに関する。
【背景技術】
【０００２】
従来、宝くじ券は１０枚ごとに袋詰めされて販売されている。そして、当せん番号が発表された場合には、購入者は袋詰めされた宝くじ券の中に当せん番号と同一の抽せん番号が印刷された宝くじ券が含まれているかを確認している。ここで、従来の宝くじ券の袋詰の場合、同一の抽せん番号１０枚が袋詰めにされて販売されることはないので、その袋詰めされた抽せん番号の全てが当せん番号に一致することは無いに等しい（確率的に極めて低い）。しかしながら当せん番号は、通常、組と数桁の番号との組み合わせのみで特定できるため、複数のユニット（当せん番号の決定対象となる抽せん番号のまとまりを示す単位）に渡って存在する同一の抽せん番号の全てが当せんとなる。したがって複数のユニットの同一の抽せん番号（少なくとも組・番号の組み合わせで定まる）が一つの袋に袋詰めされていれば、その抽せん番号が当せん番号となった場合、袋詰めされている全ての宝くじ券が当せんとなる。そして、一つの袋に袋詰めされた全ての宝くじ券が１等となる宝くじ券を販売することにより、当せん金の増大によって娯楽性を増した宝くじ券の販売を行うことができる。なお本発明の関連技術として宝くじ券のデータを作成する技術が特許文献１に開示されている。
【特許文献１】特開２００３−１５０７４６号公報
【発明の開示】
【発明が解決しようとする課題】
【０００３】
ところで、上述のように複数のユニットの同一の抽せん番号が一つの袋に袋詰めされるためには、その袋詰めが容易にできるように宝くじ券の袋詰め用のデータを生成しなければならない。また複数のユニットの同一の抽せん番号が一つの袋に袋詰めされている宝くじ券の販売において、購入者がその抽せん番号を連番やバラで数多く購入する場合に備えて各売り場に適切に宝くじ券を配送しなければならないといった問題や、どの売り場にどの宝くじ券を配送したかを適切に管理することが必要となる。
【０００４】
そこでこの発明は、複数のユニットの同一の抽せん番号が一つの袋に袋詰めされる宝くじ券の配送および販売に好適な宝くじ券管理データ生成装置および宝くじ券管理データ生成方法ならびにそのプログラムを提供することを目的としている。
【課題を解決するための手段】
【０００５】
上記目的を達成するために、本発明は、複数の連続する番号を含む組のいずれかと、その組に含まれるいずれかの番号と、の組み合わせによって特定される抽せん番号であって、当せん番号の決定対象となる抽せん番号のまとまりを示すユニット複数により販売される宝くじ券の宝くじ券管理データを生成する宝くじ券管理データ生成装置であって、ランダムに特定された1つの組を、前記連続する番号を所定の通し番号ずつに分割した番号分割単位ごとに保持した「番号分割単位」−「組」対応データを、前記ユニットごとに記憶する「番号分割単位」−「組」対応データ記憶手段と、前記番号分割単位ごとに、当該番号分割単位に含まれる複数の番号の中から袋詰用初期番号をランダムに決定する袋詰用初期番号決定手段と、一つの前記「番号分割単位」−「組」対応データで特定される番号分割単位中の番号のうち、前記袋詰用初期番号と同一の番号から順に抽せん番号を特定し、複数のユニットにまたがるその同一の抽せん番号複数に一つの袋番号を特定して付与する袋番号特定手段と、を備えることを特徴とする宝くじ券管理データ生成装置である。
【０００６】
また本発明は、上述の宝くじ券管理データ生成装置において、入力を受け付けた袋数に応じて、前記「袋番号」−「同一抽せん番号」対応データから前記袋数に応じた数の袋番号を特定し、それら複数の袋番号と当該袋番号を特定した前記「袋番号」−「同一抽せん番号」対応データと、その前記「袋番号」−「同一抽せん番号」対応データの生成に用いた前記「番号分割単位」−「組」対応データとの対応関係を売り場管理番号に対応付けて前記宝くじ券データ記憶部へ記録する配送先売り場特定手段と、を備えることを特徴とする。
【０００７】
また本発明は、複数の連続する番号を含む組のいずれかと、その組に含まれるいずれかの番号と、の組み合わせによって特定される抽せん番号であって、当せん番号の決定対象となる抽せん番号のまとまりを示すユニット複数により販売される宝くじ券の宝くじ券管理データを生成する宝くじ券管理データ生成装置の宝くじ券管理データ生成方法であって、前記宝くじ券管理データ生成装置の「番号分割単位」−「組」対応データ記憶手段が、ランダムに特定された1つの組を、前記連続する番号を所定の通し番号ずつに分割した番号分割単位ごとに保持した「番号分割単位」−「組」対応データを、前記ユニットごとに記憶し、前記宝くじ券管理データ生成装置の袋詰用初期番号決定手段が、前記番号分割単位ごとに、当該番号分割単位に含まれる複数の番号の中から袋詰用初期番号をランダムに決定し、前記宝くじ券管理データ生成装置の袋番号特定手段が、一つの前記「番号分割単位」−「組」対応データで特定される番号分割単位中の番号のうち、前記袋詰用初期番号と同一の番号から順に抽せん番号を特定し、複数のユニットにまたがるその同一の抽せん番号複数に一つの袋番号を特定して付与することを特徴とする宝くじ券管理データ生成方法である。
【０００８】
また本発明は、複数の連続する番号を含む組のいずれかと、その組に含まれるいずれかの番号と、の組み合わせによって特定される抽せん番号であって、当せん番号の決定対象となる抽せん番号のまとまりを示すユニット複数により販売される宝くじ券の宝くじ券管理データを生成する宝くじ券管理データ生成装置であって、ランダムに特定された1つの組を、前記連続する番号を所定の通し番号ずつに分割した番号分割単位ごとに保持した「番号分割単位」−「組」対応データを、前記ユニットごとに記憶する「番号分割単位」−「組」対応データ記憶手段を備えた宝くじ券管理データ生成装置のコンピュータを、前記番号分割単位ごとに、当該番号分割単位に含まれる複数の番号の中から袋詰用初期番号をランダムに決定する袋詰用初期番号決定手段、一つの前記「番号分割単位」−「組」対応データで特定される番号分割単位中の番号のうち、前記袋詰用初期番号と同一の番号から順に抽せん番号を特定し、複数のユニットにまたがるその同一の抽せん番号複数に一つの袋番号を特定して付与する袋番号特定手段、として機能させるためのプログラムである。
【発明の効果】
【０００９】
本発明によれば、複数のユニットの同一の抽せん番号が一つの袋に袋詰めされる宝くじ券の販売において、連番で販売する場合やバラで販売する場合に都合よく袋詰が配送されるためのデータを生成することができる。すなわち、宝くじ券管理データ生成装置１において生成された配送管理データに基づいて袋詰および配送された場合、宝くじ売り場の店員が、配送された連番とバラの袋束に含まれる袋それぞれを順に販売すれば、複数のユニットの同一の抽せん番号が一つの袋に袋詰めされる宝くじ券の販売において、購入者が希望する連番またはバラでの販売をただちに行うことができる。
【発明を実施するための最良の形態】
【００１０】
以下、本発明の一実施形態による宝くじ券管理データ生成装置を図面を参照して説明する。図１は同実施形態による宝くじ券管理データ生成装置の構成を示すブロック図である。この図において、符号１は宝くじ券管理データ生成装置である。そして宝くじ券管理データ生成装置１は、宝くじ券のデータを生成する管理者などのユーザからの入力を受け付ける入力部１１、宝くじ券管理データ生成装置１の各処理部を制御する制御部１２と共に、以下に詳細を示す「番号分割単位」―「組」対応データ生成部１３、袋詰用初期番号決定部１４、袋番号特定部１５、袋束管理データ生成部１６、配送先売り場特定部１７、宝くじ券データ記憶部１８を備えている。
【００１１】
そして宝くじ券管理データ生成装置１は、複数の連続する番号を含む組のいずれかと、その組に含まれるいずれかの番号と、の組み合わせによって特定される抽せん番号であって、当せん番号の決定対象となる抽せん番号のまとまりを示すユニット複数により販売される宝くじ券の管理するためのデータを生成するにあたり、まず、「番号分割単位」−「組」対応データ生成部１３が、連続する番号（例えば１００万番）を所定の通し番号（例えば１０万番）ずつに分割した番号分割単位ごとに、ランダムに特定された1つの組を保持した「番号分割単位」−「組」対応データを生成し、ユニットごとに宝くじ券データ記憶部１８へ記録する。
【００１２】
また、宝くじ券管理データ生成装置１の袋詰用初期番号決定部１４が、番号分割単位ごとに、当該番号分割単位に含まれる複数の番号の中から袋詰用初期番号を乱数によりランダムに決定する。また宝くじ券管理データ生成装置１の袋番号特定部１５が、一つの「番号分割単位」−「組」対応データで特定される番号分割単位中の番号のうち、袋詰用初期番号と同一の番号から順に抽せん番号を特定し、複数のユニットにまたがるその同一の抽せん番号複数に一つの袋番号を特定して付与し、当該特定された袋番号と複数のユニットにまたがる同一の抽せん番号との対応関係を示す「袋番号」−「同一抽せん番号」対応データを生成する。また宝くじ券管理データ生成装置１の袋番号特定部１５は、生成した「袋番号」−「同一抽せん番号」対応データを宝くじ券データ記憶部１８へ記録する。
【００１３】
また宝くじ券管理データ生成装置１の配送先売り場特定部１７が、入力部１１において入力を受け付けた袋数、または予め記憶している袋数に応じて、「袋番号」−「同一抽せん番号」対応データから袋数に応じた数の袋番号を特定し、それら複数の袋番号と当該袋番号を特定した前記「袋番号」−「同一抽せん番号」対応データと、その「袋番号」−「同一抽せん番号」対応データの生成に用いた「番号分割単位」−「組」対応データとの対応関係を売り場管理番号に対応付けて宝くじ券データ記憶部１８へ記録する。
【００１４】
図２は宝くじ券管理データ生成装置の処理フローを示す図である。
図３は「番号分割単位」−「組」対応データのデータ構成を示す図である。
図４は袋詰用初期番号テーブルのデータ構成を示す図である。
図５は「袋番号」−「同一抽せん番号」対応データのデータ構成を示す図である。
図６は袋束管理データのデータ構成を示す図である。
次に図２〜図６を用いて宝くじ券管理データ生成装置の処理フローについて説明する。
まず、宝くじ券の印刷や、各売り場へ配送するために利用する各データを生成するあたり、宝くじ券管理データ生成装置１は、宝くじ券のグループ、ユニット、組、番号からなる抽せん番号がどのような番号であるかを決定するための情報の入力を受け付ける。グループとは複数のユニットをまとめた単位である。本実施形態においてはグループ数は１、ユニット数は００１〜０１０までの１０ユニット（つまり１グループに１０ユニットが属することとなる）、各ユニットにおいて組数は００１組〜１００組までの１００組、また各組において番号は１０００００〜１９９９９９までの１０万番の入力を入力部１１が受け付けるものとする。そしてこれらの情報が宝くじ券データ記憶部１８に登録される。また入力部１１は番号分割単位の入力を受け付ける。ここで番号分割単位とは、本実施形態においては抽せん番号を特定する数桁（例えば６桁）の連続する番号を所定の通し番号ずつに分割した単位であり、本実施形態では１０万番を１万番ずつの通し番号で分割すると管理者等によって決定され、その１０万番台〜１９万番台までの１０の番号分割単位の情報が入力されるものとする。
【００１５】
そして、各情報が入力された状態で、入力部１１は「番号分割単位」−「組」対応データの生成指示の入力を受け付ける。すると「番号分割単位」−「組」対応データ生成部１３は、「番号分割単位」−「組」対応データを生成する（ステップＳ１）。
【００１６】
図３が示すように「番号分割単位」−「組」対応データは、１０万番台〜１９万番台までの１万番ずつの番号分割単位毎に、００１〜１００組までのいずれかの組を対応付け、さらに、１０万番台〜１９万番台までにそれぞれ特定された各１つずつの組のまとまり（つまり１０万番台〜１９万番台までに特定された１０の組のまとまり）を組管理番号によって特定した表である。ここで例えば００１組〜１００組のそれぞれについて１０００００〜１９９９９９までの１０万番の番号が存在する。したがって図３の「番号分割単位」−「組」対応データの表において、１０万番台〜１９万番台の各番号分割単位に特定される組は、それぞれ００１組〜１００組までである。つまり例えば番号分割単位が１０万番台であれば００１〜１００までの１００の組を乱数を発生させて一つずつランダムに並べる処理を行い、それぞれを１００個の管理記号に対応付けて「番号分割単位」−「組」対応データの表に記録する。そしてこの処理を１０万番台から順に１９万番台まで繰り返すこととなる。なお生成された「番号分割単位」−「組」対応データは、全てのユニットの処理に共通して利用されるため、一つ生成すればよい。また「番号分割単位」−「組」対応データは宝くじ券データ記憶部１８に記録される。
【００１７】
また宝くじ券管理データ生成装置１の入力部１１は、袋詰用初期番号の生成指示の入力を受け付ける。すると、袋詰用初期番号決定部１４は、１０万番台〜１９万番台のそれぞれの通し番号において（つまり、番号分割単位ごとに）、乱数を発生させてランダムに一つの袋詰用初期番号を決定する（ステップＳ２）。ここで袋詰用初期番号は、後の処理によって、１０のユニットに渡る同一の抽せん番号が一つに袋詰された宝くじ券の束を、各売り場にバラバラに配送するための宝くじ券の管理データを生成するために必要な番号であり、この袋詰用初期番号に基づいて、どの袋番号の袋にどの番号（６桁の番号）の宝くじ券を袋詰するかが特定される。図４が示すように、１０万番台〜１９万番台までのそれぞれで一つの袋詰用初期番号がその該当する万番台の中でランダムに決定され、各番号分割単位の袋詰用初期番号が袋詰用初期番号テーブルに登録される。なお袋詰用初期番号テーブルのデータは宝くじ券データ記憶部１８に登録される。
【００１８】
次に宝くじ券管理データ生成装置１の入力部１１は、「袋番号」−「同一抽せん番号」対応データの生成指示の入力を受け付ける。すると、袋番号特定部１５は、宝くじ券データ記憶部１８に登録されている袋詰用初期番号テーブルから１０万番台の袋詰用初期番号を読み取り、この袋詰用初期番号から順に１０万番台の各番号（１０００００〜１０９９９９）に異なる袋番号を割り当てて（本実施形態においては袋番号を昇順で順番に割り当てる）、１０万番台の各番号とその番号に割り当てられた袋番号とを対応付けて「袋番号」−「同一抽せん番号」対応データのテーブルに記録する。
【００１９】
そして袋番号特定部１５は図５で示すような「袋番号」−「同一抽せん番号」対応データを生成して宝くじ券データ記憶部１８に登録する。ここで、この「袋番号」−「同一抽せん番号」対応データの生成において、袋番号特定部１５は、袋詰用初期番号から順に１０万番台の各番号に異なる袋番号を割り当てるので、例えば１０万番台であれば、１０９９９９までの番号に袋番号を割り当てた場合には、次に１０００００番に戻って当該１０００００番から１０１２３３（袋詰用初期番号の一つ前の番号）まで袋番号を割り当てることとなる。そして、袋番号特定部１５は、１０万番台，１１万番台，・・・，１９万番台と、１０万番の全ての番号に対して異なる袋番号を割り当てる処理を繰り返して「袋番号」−「同一抽せん番号」対応データを生成する（ステップＳ３）。
【００２０】
なお、袋詰の処理の詳細に関しては後述するが、１０枚の宝くじ券が袋詰される場合には、袋番号特定部１５が生成した「袋番号」−「同一抽せん番号」対応データに基づいて、６桁の番号と袋番号との組み合わせが特定され、また図３で示した「番号分割単位」−「組」対応データ中の１つの組管理記号に対応する組であって、「袋番号」−「同一抽せん番号」対応データに基づいて特定された６桁の番号が属する番号分割単位に割り当てられた組が、特定される。そしてそれら特定された組と番号と袋番号によって、複数の異なるユニット（本実施形態においては１０ユニット）から抽出された同一の組・番号の抽せん番号が、一つの袋に袋詰されることとなる。
【００２１】
次に宝くじ券管理データ生成装置１の入力部１１は、袋束管理データの生成指示の入力を受け付ける。すると袋束管理データ生成部１６が、袋番号特定部１５によって生成された「袋番号」−「同一抽せん番号」対応データから、一つの束にまとめる複数の袋番号を特定する。そして特定した複数の袋番号と、その複数の袋番号に、袋束として管理するための袋束管理番号を一つ割り当てる。そして、複数の袋番号と、一つの袋束管理番号とを対応付けた袋束管理データを生成する（ステップＳ４）。
【００２２】
図６において（ａ）は、例えば、一つの組と６桁の番号の組み合わせによって特定される一つの抽せん番号が１０ユニットに渡って１０枚入っている宝くじ券の袋詰を、連番（同一抽せん番号１０枚が袋詰された宝くじ券を、複数購入する場合にそれらの抽せん番号が連続する状態）で購入したいと希望する購入者がいる場合、その購入者の要求に対応するための袋束を宝くじ売り場に配送するために生成する袋束管理データである。（ａ）で示すように、袋番号０００１〜０１００の袋番号を一つの袋束として、その複数の袋番号に１つの袋束管理番号Ｒ００００１を振って、袋束管理データとして宝くじ券データ記憶部１８に登録する。
【００２３】
また（ｂ）は例えば、一つの組と６桁の番号の組み合わせによって特定される一つの抽せん番号が１０ユニットに渡って１０枚入っている宝くじ券の袋詰を、バラ（抽せん番号が連続せず、なるべく複数の袋詰それぞれの抽せん番号どうしが離れた番号である状態）で購入したいと希望する購入者がいる場合、その購入者の要求に対応するための袋束を宝くじ売り場に配送するために生成する袋束管理データである。（ｂ）で示すように、１０万番台の番号分割単位に属する抽せん番号が袋詰された袋０００１の袋番号、１１万番台の番号分割単位に属する抽せん番号が袋詰された袋０００２の袋番号、・・・１９万番台の番号分割単位に属する抽せん番号が袋詰された袋００１０の袋番号を一つの袋束として、それら複数の袋番号に１つの袋束管理番号Ｂ００００１を振って、袋束管理データとして宝くじ券データ記憶部１８に登録する。
【００２４】
なお、図６（ｂ）のような袋束管理データを生成するに当たり、１０万番台の番号分割単位に属する抽せん番号が袋詰された袋の袋番号から、１９万番台の番号分割単位に属する抽せん番号が袋詰された袋の袋番号までの１０の袋番号が、全て同一の番号であったとしても、図５で示すように、各番号分割単位の同一袋番号には、袋詰用初期番号が大きくずれていることにより、６桁の番号が大きくずれた各番号がそれぞれ袋詰されている。したがって、（ｂ）の袋束管理データに基づいて、各売り場に宝くじの袋詰の束が配送される場合には、バラで購入したい購入者に対して、複数の袋詰の宝くじ券を購入したとしても、各袋詰めのそれぞれの抽せん番号が大きくずれた状態で販売することができる。
【００２５】
次に宝くじ券管理データ生成装置１の入力部１１は、配送管理データの生成指示の入力を受け付ける。すると配送先売り場特定部１７は、配送管理データの生成を開始する。まず、配送先売り場特定部１７は、グループ番号００１を特定する。なおグループ番号００１に属するユニット番号は００１〜０１０のユニット番号の各ユニットとして予め決められており、宝くじ券データ記憶部１８で保持している。また、配送先売り場特定部１７は連番での販売とバラでの販売の両方に対応できるように図６で示す袋束管理データ（ａ），（ｂ）それぞれから袋束管理番号を、指示を受けた数だけ取得する。
【００２６】
ここで袋束管理番号からは、図６の袋束管理データに基づいて、その袋束管理番号に属する複数の袋番号を導くことができ、またその袋番号からは図５の「袋番号」−「同一抽せん番号」対応データに基づいて、その袋番号の袋に袋詰された６桁の番号が分かる。しかしながらどの組であるかを特定しなければならないため、配送先売り場特定部１７は、図３の「番号分割単位」−「組」対応データから組管理記号を一つ特定する。そして配送先売り場特定部１７は、特定したグループ番号と組管理記号と袋束管理番号とその袋束管理番号で判明する連番販売（Ｒ）またはバラ販売（Ｂ）の情報とを、それら情報で特定できる宝くじを配送する売り場の番号（売り場番号）に対応付けて配送管理データを生成し（ステップＳ５）、宝くじ券データ記憶部１８に登録する。なお、生成された配送管理データによれば、袋詰管理番号からは、袋番号とその袋に袋詰される６桁の番号が１０個特定できる。また配送管理データ内の組管理記号によれば、図３の「番号分割単位」−「組」対応データにはその組管理記号によって各番号分割単位（１０万番台、１１万番台・・・１９万番台）についての組番号が特定されている。したがって、配送管理データのバラ販売（Ｂ）によって袋詰され、またその袋詰を束で管理された場合、各袋に袋詰される番号と組が全く異なるものとなる。
【００２７】
図７は配送管理データのデータ構成を示す図である。
この図が示すように配送管理データは、グループ番号と組管理記号と袋束管理番号の情報が、それら情報で特定できる宝くじを配送する売り場の番号（売り場番号）に対応付けられて記録されている。
【００２８】
以上の処理により、宝くじ券管理データ生成装置１において配送管理データが生成されるが、この配送管理データに基づいて、袋詰および配送されると、各宝くじ券売り場においては、複数のユニットの同一の抽せん番号が一つの袋に袋詰めされる宝くじ券の販売において、連番で販売する場合やバラで販売する場合に都合よく袋詰が配送することができる。すなわち、宝くじ売り場の店員が、配送された連番とバラの袋束に含まれる袋それぞれを順に販売すれば、購入者が希望する連番またはバラでの販売をただちに行うことができる。
【００２９】
宝くじ管理データ生成装置１は、上述の処理の結果生成された各データを用いて宝くじ券の印刷の指示、袋詰の指示、売り場ごとの袋束の箱詰め指示、トラックへ運ぶための箱の仕分け指示を、それら処理を行う専用の装置に行うようにしても良い。その場合、例えば図７で示すような「番号分割単位」−「組」対応データ、「袋番号」−「同一抽せん番号」対応データ、袋束管理データ、配送管理データが生成された場合には、まず、配送管理データに基づいて、売り場番号００１で特定される売り場への配送分の袋束の作成用のデータとして、グループ番号や組管理記号や袋束管理番号が読み取られる。そして「番号分割単位」−「組」対応データ、「袋番号」−「同一抽せん番号」対応データ、袋束管理データから、ユニット番号、組、６桁の番号で示される抽せん番号がどの袋に袋詰されるかが特定される。そしてそれら袋が束として箱につめられて、所定の配送先の宝くじ売り場へと配送されることとなる。
【００３０】
なお、上述の処理においては、「番号分割単位」−「組」対応データの生成指示、袋詰用初期番号の生成指示、「袋番号」−「同一抽せん番号」対応データの生成指示、袋束管理データの生成指示、配送管理データの生成指示の入力を受け付けることにより、各データそれぞれの生成処理を開始しているが、これに限らず、最初の一つの指示の入力を受け付けると、全ての上記生成したデータの生成処理を連続して行うようにしてもよい。
【００３１】
上述の宝くじ券管理データ生成装置は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３２】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【図面の簡単な説明】
【００３３】
【図１】宝くじ券管理データ生成装置の構成を示すブロック図である。
【図２】宝くじ券管理データ生成装置の処理フローを示す図である。
【図３】「番号分割単位」−「組」対応データのデータ構成を示す図である。
【図４】袋詰用初期番号テーブルのデータ構成を示す図である。
【図５】「袋番号」−「同一抽せん番号」対応データのデータ構成を示す図である。
【図６】袋束管理データのデータ構成を示す図である。
【図７】配送管理データのデータ構成を示す図である。
【符号の説明】
【００３４】
１・・・宝くじ券管理データ生成装置
１１・・・入力部
１２・・・制御部
１３・・・「番号分割単位」―「組」対応データ生成部
１４・・・袋詰用初期番号決定部
１５・・・袋番号特定部
１６・・・袋束管理データ生成部
１７・・・配送先売り場特定部
１８・・・宝くじ券データ記憶部
【図１】
2008250840.tif 000003
【図２】
2008250840.tif 000004
【図３】
2008250840.tif 000005
【図４】
2008250840.tif 000006
【図５】
2008250840.tif 000007
【図６】
2008250840.tif 000008
【図７】
2008250840.tif 000009